(57)【要約】      （修正有）【課題】放熱効果が良く、温度降下効果が極めて顕著な繊維用ベース粒子付き繊維によって作製された紡績品を提供する。【解決手段】ポリマーに１〜５０％のサブミクロンクラス（０．１μｍ〜８μｍ）の複合鉱石パウダーを混入して、これらの混合物を、ダブルスクリュー押出機に送入して混煉して押出して冷却した後、粒子の大きさに切断し繊維内に散布して構成され、前記ポリマーは、ナイロンパウダーであってもいいし、ポリエステルパウダーであってもいいし、ポリプロピレンパウダーであってもよい。【選択図】図２
0003146097.tif 000002
【実用新案登録請求の範囲】
【請求項１】
ポリマーに１〜５０％のサブミクロンクラス（０．１μｍ〜８μｍ）の複合鉱石パウダーを混入して構成されることを特徴とする、
繊維用ベース粒子。
【請求項２】
前記ポリマーは、ナイロンパウダー、ポリエステルパウダー、ポリプロピレンパウダーの何れかひとつであることを特徴とする、請求項１に記載の繊維用ベース粒子。
【請求項３】
ポリマーに複合鉱石パウダーを混入して、これらの混合物を、ダブルスクリュー押出機に送入して混煉して押出して冷却した後、粒子の大きさに切断して構成されることを特徴とする、請求項１に記載の繊維用ベース粒子。
【考案の詳細な説明】
【技術分野】
【０００１】
本考案は、放熱効果が良い繊維用ベース粒子に関し、特に、繊維用ベース粒子付き繊維によって作製された紡績品は、放熱効果が良く、温度降下効果が極めて顕着である繊維用ベース粒子に関するものである。
【背景技術】
【０００２】
科学技術の進展に伴って、高機能及び高性能などの素材は、衣服用、スポーツ用、保護用、医療用、衛生用や建築用などの分野に適用されている。
また、高機能性の紡績品は現在の研究開発の焦点になっている。
高機能性の紡績品としては、抗菌防臭、汚れ防止、防紫外線、防火事、防電磁波、汗快速排出などの機能を有する紡績品が開発されている。特に、抗菌防臭及び汗快速排出などの機能を有する紡績品の品目が極めて多い。
【０００３】
高機能性の紡績品は、一般に、繊維内に機能性粒子や成分が添加されている。又はポリマーにベース粒子を直接に添加して、これらの混合物を繊維に作製するのである。例えば消臭機能を有する紡績品は、繊維内に活性炭粒子が添加されており、活性炭粒子により消臭などの効果が発揮される。
しかしながら、市販されている各種類の高機能性の紡績品は、予定の目的を達成することができるが、放熱効果を向上するものがないので、消費者は、これらの紡績品を着ると、熱を快速に排出することができなく、着り心地が良くない。
【考案の開示】
【考案が解決しようとする課題】
【０００４】
本考案の主な目的は、繊維用ベース粒子付き繊維によって作製された紡績品は、放熱効果が良く、温度降下効果が極めて顕着である繊維用ベース粒子を提供することにある。
【課題を解決するための手段】
【０００５】
本考案の請求項１に記載の繊維用ベース粒子によると、ポリマーに１〜５０％のサブミクロンクラス（０．１μｍ〜８μｍ）の複合鉱石パウダーを混入して構成されることを特徴とする繊維用ベース粒子である。
【０００６】
本考案の請求項２に記載の繊維用ベース粒子によると、前記ポリマーは、ナイロンパウダー、ポリエステルパウダー、ポリプロピレンパウダーのいずれかひとつであってもよい。
本考案の請求項３に記載の繊維用ベース粒子によると、ポリマーに複合鉱石パウダーを混入して、これらの混合物を、ダブルスクリュー押出機に送入して混煉して押出して冷却した後、粒子の大きさに切断して構成される。
【考案の効果】
【０００７】
本考案の繊維用ベース粒子によれば、繊維用ベース粒子付き繊維によって作製された紡績品は、放熱効果が良く、温度降下効果が極めて顕着であるという効果を有する。
【考案を実施するための最良の形態】
【０００８】
以下、本考案の実施の形態を図面に基づいて説明する。
まず、図１及び図２を参照する。図１は本考案に係るポリマーの概略図であり、図２は本考案に係るポリマーに複合鉱石パウダーを添加した状態の概略図である。
本考案に係る繊維用ベース粒子は、ポリマー１に複合鉱石パウダー２を添加して構成される。
ポリマー１は、ナイロンパウダーであってもいいし、ポリエステルパウダーであってもいいし、ポリプロピレンパウダーであってもよい。
複合鉱石パウダー２は、サブミクロンクラス（０．１μｍ〜８μｍ）の鉱石パウダーである。
【０００９】
このように、ポリマー１に１〜５０％のサブミクロンクラス（０．１μｍ〜８μｍ）の複合鉱石パウダー２を混入して、これらの混合物を、ダブルスクリュー押出機に送入して混煉して押出して冷却した後、粒子の大きさに切断すると、本考案に係る繊維用ベース粒子の作製が完成した。
上記の説明から明らかなように、従来のものに比べると、本考案はポリマー１にサブミクロンクラス（０．１μｍ〜８μｍ）の複合鉱石パウダーを混入して繊維用ベース粒子を作製する。
その後、繊維内に繊維用ベース粒子を散布する。
この繊維によって作製された紡績品は、放熱効果が良く、温度降下効果が極めて顕着であり、本考案に係る繊維用ベース粒子が混入された繊維で作製された紡績品を着ると、消費者の体温は、従来のものよりも１〜２℃に降下するので、エアコンの温度設定を約１℃にアップすることができ（２６℃〜２７℃に設定）、ひいては電力消耗が５〜６％程度を節約可能であり、すなわち、毎年１０億度の電力消耗を節約することができる。
【００１０】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１１】
【図１】本考案に係るポリマーの概略図である。
【図２】本考案に係るポリマーに複合鉱石パウダーを添加した状態の概略図である。
【符号の説明】
【００１２】
１：ポリマー、２：複合鉱石パウダー
【図１】
0003146097.tif 000003
【図２】
0003146097.tif 000004
【手続補正書】
【提出日】平成20年8月29日(2008.8.29)
【手続補正１】
【補正対象書類名】実用新案登録請求の範囲
【補正対象項目名】全文
【補正方法】変更
【補正の内容】
【実用新案登録請求の範囲】
【請求項１】
ポリマーに１〜５０％のサブミクロンクラス（０．１μｍ〜８μｍ）の複合鉱石パウダーを混入して構成される繊維用ベース粒子を繊維内に散布したことを特徴とする、
繊維用ベース粒子付き繊維によって作製された紡績品。
【請求項２】
前記ポリマーは、ナイロンパウダー、ポリエステルパウダー、ポリプロピレンパウダーの何れかひとつであることを特徴とする、請求項１に記載の繊維用ベース粒子付き繊維によって作製された紡績品。
【請求項３】
ポリマーに複合鉱石パウダーを混入して、これらの混合物を、ダブルスクリュー押出機に送入して混煉して押出して冷却した後、粒子の大きさに切断して構成されることを特徴とする、請求項１に記載の繊維用ベース粒子付き繊維によって作製された紡績品。
【手続補正２】
【補正対象書類名】明細書
【補正対象項目名】全文
【補正方法】変更
【補正の内容】
【考案の詳細な説明】
【技術分野】
【０００１】
本考案は、放熱効果が良い繊維用ベース粒子に関し、特に、繊維用ベース粒子付き繊維によって作製された紡績品は、放熱効果が良く、温度降下効果が極めて顕着である繊維用ベース粒子付き繊維によって作製された紡績品に関するものである。
【背景技術】
【０００２】
科学技術の進展に伴って、高機能及び高性能などの素材は、衣服用、スポーツ用、保護用、医療用、衛生用や建築用などの分野に適用されている。
また、高機能性の紡績品は現在の研究開発の焦点になっている。
高機能性の紡績品としては、抗菌防臭、汚れ防止、防紫外線、防火事、防電磁波、汗快速排出などの機能を有する紡績品が開発されている。特に、抗菌防臭及び汗快速排出などの機能を有する紡績品の品目が極めて多い。
【０００３】
高機能性の紡績品は、一般に、繊維内に機能性粒子や成分が添加されている。又はポリマーにベース粒子を直接に添加して、これらの混合物を繊維に作製するのである。例えば消臭機能を有する紡績品は、繊維内に活性炭粒子が添加されており、活性炭粒子により消臭などの効果が発揮される。
しかしながら、市販されている各種類の高機能性の紡績品は、予定の目的を達成することができるが、放熱効果を向上するものがないので、消費者は、これらの紡績品を着ると、熱を快速に排出することができなく、着り心地が良くない。
【考案の開示】
【考案が解決しようとする課題】
【０００４】
本考案の主な目的は、放熱効果が良く、温度降下効果が極めて顕着である繊維用ベース粒子付き繊維によって作製された紡績品を提供することにある。
【課題を解決するための手段】
【０００５】
本考案は、ポリマーに１〜５０％のサブミクロンクラス（０．１μｍ〜８μｍ）の複合鉱石パウダーを混入して構成される繊維用ベース粒子を繊維内に散布したことを特徴とする繊維用ベース粒子付き繊維によって作製された紡績品である。
【０００６】
前記ポリマーは、ナイロンパウダー、ポリエステルパウダー、ポリプロピレンパウダーのいずれかひとつであってもよい。
繊維用ベース粒子によると、ポリマーに複合鉱石パウダーを混入して、これらの混合物を、ダブルスクリュー押出機に送入して混煉して押出して冷却した後、粒子の大きさに切断して構成される。
【考案の効果】
【０００７】
本考案に係る繊維用ベース粒子付き繊維によって作製された紡績品は、放熱効果が良く、温度降下効果が極めて顕着であるという効果を有する。
【考案を実施するための最良の形態】
【０００８】
以下、本考案の実施の形態を図面に基づいて説明する。
まず、図１及び図２を参照する。図１は本考案に係るポリマーの概略図であり、図２は本考案に係るポリマーに複合鉱石パウダーを添加した状態の概略図である。
繊維用ベース粒子は、ポリマー１に複合鉱石パウダー２を添加して構成される。
ポリマー１は、ナイロンパウダーであってもいいし、ポリエステルパウダーであってもいいし、ポリプロピレンパウダーであってもよい。
複合鉱石パウダー２は、サブミクロンクラス（０．１μｍ〜８μｍ）の鉱石パウダーである。
【０００９】
このように、ポリマー１に１〜５０％のサブミクロンクラス（０．１μｍ〜８μｍ）の複合鉱石パウダー２を混入して、これらの混合物を、ダブルスクリュー押出機に送入して混煉して押出して冷却した後、粒子の大きさに切断すると、本考案に係る繊維用ベース粒子の作製が完成した。
上記の説明から明らかなように、従来のものに比べると、本考案はポリマー１にサブミクロンクラス（０．１μｍ〜８μｍ）の複合鉱石パウダーを混入して繊維用ベース粒子を作製する。
その後、繊維内に繊維用ベース粒子を散布する。
この繊維によって作製された紡績品は、放熱効果が良く、温度降下効果が極めて顕着であり、本考案に係る繊維用ベース粒子が混入された繊維で作製された紡績品を着ると、消費者の体温は、従来のものよりも１〜２℃に降下するので、エアコンの温度設定を約１℃にアップすることができ（２６℃〜２７℃に設定）、ひいては電力消耗が５〜６％程度を節約可能であり、すなわち、毎年１０億度の電力消耗を節約することができる。
【００１０】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１１】
【図１】本考案に係るポリマーの概略図である。
【図２】本考案に係るポリマーに複合鉱石パウダーを添加した状態の概略図である。
【符号の説明】
【００１２】
１：ポリマー、２：複合鉱石パウダー